(57)【特許請求の範囲】
【請求項１】
自動販売機前面に、投入された金額又は商品の価格を表示する金額表示手段が設けられ、販売する商品の商品見本を陳列する陳列部が設けられるとともに、販売する商品毎に各商品を選択するための商品選択手段が設けられ、前記陳列部に、陳列する商品見本を商品見本毎にそれぞれ設定される点灯情報に従って個々に照明する照明手段が設けられた自動販売機であって、
自動販売機外部からの操作で各照明手段の点灯情報を照明手段毎に設定するための照明設定モードへの切り換えを可能とする照明設定モード切り換え手段と、
前記照明設定モード中に、前記商品選択手段を操作することにより、操作した商品選択手段に対応する商品見本を照明する照明手段の設定点灯情報を個々に切り換える点灯情報設定切換手段と、
前記照明設定モード中に、操作した商品選択手段に対応する商品見本を照明する照明手段を、その商品選択手段の操作によって新たに選択された点灯情報で点灯させる選択点灯情報点灯手段と、
前記選択点灯情報点灯手段で点灯されている点灯情報を前記金額表示手段に表示する選択点灯情報表示手段を備えることを特徴とする自動販売機。
【請求項２】
各照明手段の点灯情報を時間毎に変化させる設定が可能であることを特徴とする請求項１記載の自動販売機。
【発明の詳細な説明】
【技術分野】
【０００１】
本発明は、商品見本を照明する照明手段を備えた自動販売機に関し、特に、照明手段の照度設定に関する。
【背景技術】
【０００２】
自動販売機は、通常、商品見本を陳列する陳列部に蛍光灯等の照明手段を設け、陳列した商品見本を照明するようにしている。そして、その自動販売機の陳列部を照明する照明手段は、例えば自動販売機の周りの明るさを光センサで検知して、その検知信号により点灯・消灯を制御している。そして、その照明手段を自動点灯させる明るさの基準（基準照度値）を、自動販売機のコントロールボックスに設けられたキーボードの操作によって多段階に細かく設定できるようにしたもの（例えば、特許文献１参照。）や、ＬＥＤを備える照明手段の場合に、ＬＥＤの光量制御パターンを多様な設定から選択できるようにしたもの（例えば、特許文献２参照。）が従来から知られている。
【特許文献１】特開平８−１６９０６号公報
【特許文献２】特開２００３−１０９０７７号公報
【発明の開示】
【発明が解決しようとする課題】
【０００３】
しかしながら、自動販売機の陳列部に陳列した商品見本を照明する照明手段の照度等を設定する場合に、従来の自動販売機では、いちいち自動販売機前面の扉を開けてコントロールボックスのキーボード等を操作する必要があって、作業に手間が掛かるという問題があり、また、商品見本毎に照度を変えるというものではないために、商品見本個々の色の相違などにより、商品見本によっては暗く見えたりするように商品見本毎に見え具合が異なるといった問題もあった。
【０００４】
本発明は、こうした問題を解決するためのもので、商品見本を照明する照明手段の照度等の設定を、自動販売機の扉を開けずに外部からの操作で簡単に行うことができ、しかも、照度等の設定のための操作部を新たに設ける必要がなく、また、個々の商品見本毎に照度等を設定できて、商品見本毎の色の相違などに合わせた照度等の調整が容易な自動販売機を提供することを目的とする。
【課題を解決するための手段】
【０００５】
本発明の自動販売機は、自動販売機前面に、投入された金額又は商品の価格を表示する金額表示手段が設けられ、販売する商品の商品見本を陳列する陳列部が設けられるとともに、販売する商品毎に各商品を選択するための商品選択手段が設けられ、前記陳列部に、陳列する商品見本を、商品見本毎にそれぞれ設定される、点灯の際の照度等の明るさや色彩に関する情報である点灯情報に従って、個々に照明する照明手段が設けられた自動販売機であって、自動販売機外部からの操作で各照明手段の点灯情報を照明手段毎に設定するための照明設定モードへの切り換えを可能とする照明設定モード切り換え手段と、照明設定モード中に、商品選択手段を操作することにより、操作した商品選択手段に対応する商品見本を照明する照明手段の設定点灯情報を個々に切り換える点灯情報設定切換手段と、前記照明設定モード中に、操作した商品選択手段に対応する商品見本を照明する照明手段を、その商品選択手段の操作によって新たに選択された点灯情報で点灯させる選択点灯情報点灯手段と、前記選択点灯情報点灯手段で点灯されている点灯情報を前記金額表示手段に表示する選択点灯情報表示手段を備えることを特徴とする。
この自動販売機は、各照明手段の点灯情報を時間毎に変化させる設定が可能であるものとすることができる。
【０００６】
この自動販売機では、商品選択手段（商品選択ボタン等）や返却ボタン等を予め設定された手順で操作したり、あるいは、自動販売機の管理者が所持する携帯端末を操作するなど、自動販売機外部からの操作で照明設定モードに切り換えた後、商品選択手段を操作して、操作した商品選択手段に対応する商品見本を照明する照明手段の設定点灯情報を個々に切り換えることができる。そのため、商品見本を照明する照明手段の照度等の点灯情報設定を、自動販売機の扉を開けずに外部からの操作で簡単に行うことができ、しかも、点灯情報設定用の操作部として新たなスイッチ等を設ける必要がなく、簡単な構成で点灯情報設定を行うことができ、また、個々の商品見本毎に点灯情報を設定でき、商品見本毎の色に合わせて照度等を調節したり、特定の商品見本を明るくするなどの点灯情報調整を容易に行うことができる。
【０００７】
この自動販売機において、点灯情報設定切換手段は、予め定められた複数の点灯情報を選択可能な設定点灯情報として記憶し、照明設定モード中に、商品選択手段を操作する毎に、操作した商品選択手段に対応する商品見本を照明する照明手段の設定点灯情報を、記憶されている設定点灯情報の中から選択して順次切り換えるものとするのがよい。そうすることで、より簡単に個々の商品見本毎の照明手段の点灯情報設定を行うことができる。
【０００８】
また、この自動販売機は、照明設定モード中に、操作した商品選択手段に対応する商品見本を照明する照明手段を、その商品選択手段の操作によって新たに選択された点灯情報で点灯させる選択点灯情報点灯手段を備えるものとするのがよい。そうすることで、実際の照明具合を見ながら点灯情報の調整ができ、個々の商品見本の色に合わせて照度等の明るさや色彩を調節したり、特定の商品見本を明るくするなどの調整が一層容易になる。
【０００９】
また、この自動販売機は、自動販売機前面に、投入された金額又は商品の価格を表示する金額表示手段が設けられている場合に、照明設定モード中に、商品選択手段の操作によって新たに選択された点灯情報を前記金額表示手段に表示する選択点灯情報表示手段を備えるものとするのがよい。そうすることで、選択した点灯情報を確実に把握でき、一層簡単に照明手段の点灯情報設定ができる。
【発明の効果】
【００１０】
このように、本発明の自動販売機は、商品見本を照明する照明手段の点灯の際の照度等の明るさや色彩に関する情報である点灯情報の設定を、自動販売機の扉を開けずに外部からの操作で簡単に行うことができ、しかも、その設定のための操作部として新たなスイッチ等を設ける必要がなく、簡単な構成で点灯情報設定を行うことができ、また、個々の商品見本毎に点灯情報を設定でき、商品見本毎の色に合わせて照度等の明るさや色彩を調節したり、特定の商品見本を明るくするなどの調整を容易に行うことができる。
【００１１】
また、本発明の自動販売機は、特に、点灯情報設定切換手段を、予め定められた複数の点灯情報を選択可能な設定点灯情報として記憶し、照明設定モード中に、商品選択手段を操作する毎に、操作した商品選択手段に対応する商品見本を照明する照明手段の設定点灯情報を、記憶されている設定点灯情報の中から選択して順次切り換えるものとすることで、より簡単に個々の商品見本毎の照明手段の点灯情報設定を行うことができる。
【００１２】
また、本発明の自動販売機は、特に、照明設定モード中に、操作した商品選択手段に対応する商品見本を照明する照明手段を、その商品選択手段の操作によって新たに選択された点灯情報で点灯させる選択点灯情報点灯手段を備えるものとすることで、実際の照明具合を見ながら点灯情報の調整ができるようになり、個々の商品見本の色に合わせて照度等の明るさや色彩を調節したり、特定の商品見本を明るくするなどの調整を一層容易になる。
【００１３】
また、本発明の自動販売機は、特に、自動販売機前面に、投入された金額又は商品の価格を表示する金額表示手段が設けられている場合に、照明設定モード中に、商品選択手段の操作によって新たに選択された点灯情報を金額表示手段に表示する選択点灯情報表示手段を備えるものとすることで、選択した点灯情報を確実に把握できるようになり、一層簡単に照明手段の点灯情報設定を行うことができる。
【発明を実施するための最良の形態】
【００１４】
以下、本発明の実施の形態を図面に基づいて説明する。
図１〜図７は、本発明の実施の形態の自動販売機の一例を示している。図１は自動販売機の外観図、図２は陳列部の部分断面図、図３は照度設定制御システムのブロック図、図４は予め記憶され照度設定制御に使用される照度レベルテーブルの説明図、図５は照度設定制御により設定され記憶される照度設定テーブルの設定変更前（Ａ）および設定変更後(Ｂ)の説明図、図６は陳列部の上から２列目のＬＥＤと商品選択ボタンとの対応関係を示す説明図、図７は金額表示器の表示例を示す図である。
【００１５】
この実施の形態の自動販売機は、図１に示すように、自動販売機本体１の前面部に、正面視にて左端部が上下から軸支されて右開きに開閉可能とされた扉２が設けられている。そして、扉２には、販売時に自動販売機前面となる側に、販売する商品の商品見本３を上下３列に陳列する陳列部４が設けられ、販売する商品毎に各商品を選択するための商品選択手段である商品選択ボタン５が各商品見本３に対応して設けられ、また、商品が払い出される商品払出口６、釣り銭が返却される返却口７、現金を投入する現金投入部８、釣り銭の返却のために操作する返却レバー９、投入された金額や商品の価格等を表示するための金額表示手段である金額表示器１０が設けられている。なお、商品見本３は、透光性を有する薄板形状のものである。
【００１６】
陳列部４には、陳列する商品見本３を支持するための陳列台１１が上下３列に設けられている。そして、図２に示すように、陳列台１１には、陳列する商品見本３を商品見本３毎にそれぞれの設定照度で個々に照明する照明手段として、各商品見本３の下方となる位置に、ＬＥＤ１２を備える基板１３が設置され、各基板１３の上方で各商品見本３の後方となる位置に、ＬＥＤ１２の光を下方端面から入光して商品見本３の裏側全面に拡散発光するよう、発光面が商品見本３と同サイズで、下方端面以外の端面に光漏れ防止加工が施され、商品見本３に面する側とは反対の後側全面に、下方端面から入光した光を乱反射させるための反射用凹凸が形成された導光板１４が設置され、さらに、導光板１４の後方に、光を反射するための白色の反射板１５が取り付けられている。陳列台１１は、ＬＥＤ１２の光を導光板１４に入光させるよう少なくとも一部が透光性を有している。
【００１７】
また、陳列部４は、前面部が透明な窓板１６によって外部と仕切られ、各商品選択ボタン５が、対応する商品見本３が陳列される位置の前方下側となる配置で、窓板１６に取り付けられている。そして、各商品選択ボタン５には、売切や販売中止、あるいは選択状態を表示するためのランプが内蔵されている。
【００１８】
そして、この自動販売機は、制御部１７を備え、図３に示すように、制御部１７に各商品見本３を照明するＬＥＤ１２が接続され、各商品見本３に対応する商品選択ボタン５が接続され、金額表示器１０が接続され、また、各種データを記憶するメモリ１８が接続されている。
【００１９】
メモリ１８には、図４に示すように予め複数の照度レベルの形で照度を設定した照度レベルテーブルが保存され、また、各ＬＥＤ１２毎に設定された照度（照度レベル）を各ＬＥＤ１２が照明する商品見本３を選択するための各商品選択ボタン５と対応付けて設定する図５に示すような照度設定テーブルが保存される。
【００２０】
照度レベルテーブルは、図４に示すように、照度レベルを例えば０〜４の５段階として、各照度レベル（０〜４）をＬＥＤ１２の調光率（０％、２５％、５０％、７５％、１００％）と対応付けて設定するもので、調光率（０％、２５％、５０％、７５％、１００％）の段階順に予め設定しメモリ１８に記憶しておく。なお、この照度レベルテーブルは、予め設定されているものを管理者が適宜変更できるようにすることもできる。また、この照度レベルテーブルは、照度レベルを図示のように５段階に設定するものに限るものではなく、例えば更に小刻みな設定にすることも可能である。
【００２１】
また、照度設定テーブルは、図５に示すように、各商品見本３を照明するＬＥＤ１２の番号と、各ＬＥＤ１２の設定照度に対応する照度レベル（図４の照度レベルテーブルから選択した照度レベル）と、各ＬＥＤ１２によって照明される商品見本３に対応する商品選択ボタン５の番号を対応付けて設定される。なお、図５に示す照度設定テーブルは、図１に示す自動販売機の陳列部４の上から２列目の各ＬＥＤ１２の照度設定に対応する照度設定テーブルであって、各ＬＥＤ１２の番号Ａ２〜Ｆ２、および各商品選択ボタン５の番号ａ２〜ｆ２は、図６に示す上から２列目の各ＬＥＤ１２および各商品選択ボタン５に対応している。１列目および３列目のＬＥＤ１２の照度設定に対応する照度設定テーブルも、同様に設定され、記憶される。
【００２２】
この自動販売機において、制御部１７は、自動販売機外部からの操作で各ＬＥＤ１２の点灯情報（照度）をＬＥＤ１２毎に設定するための照明設定モードへの切り換えを可能とする照明設定モード切り換え手段を構成している。そして、制御部１７とメモリ１８は、予め定められた複数の点灯情報（照度）を選択可能な設定点灯情報（照度）としてテーブル（照度レベルテーブル）の形で記憶し、照明設定モード中に、商品選択ボタン５を操作する毎に、操作した商品選択ボタン５に対応する商品見本３を照明するＬＥＤ１２の個々の設定点灯情報（照度）を、記憶手段（照度記憶手段）であるメモリ１８に記憶されている設定点灯情報（照度）の中から選択して、テーブル（照度設定テーブル）を変更する形で順次切り換える点灯情報設定切換手段を構成している。また、制御部１７は、照明設定モード中に、操作した商品選択ボタン５に対応する商品見本３を照明するＬＥＤ１２を、その商品選択ボタン５の操作によって新たに選択された点灯情報（照度）で点灯させる選択点灯情報点灯手段を構成し、さらに、照明設定モード中に、商品選択ボタン５の操作によって新たに選択された点灯情報（照度）を金額表示器１９に表示する選択点灯情報表示手段を構成している。
【００２３】
この自動販売機は、商品選択ボタン５や返却ボタン９を予め設定された手順で操作したり、あるいは、自動販売機の管理者が所持する携帯端末を操作するなど、予め設定された自動販売機外部からの操作で照明設定モードに切り換えることができるようになっている。
【００２４】
そして、照明設定モード中、商品選択ボタン５を操作して、操作した商品選択ボタン５に対応する商品見本３を照明するＬＥＤ１２の設定点灯情報を個々に切り換えることができる。
【００２５】
照明設定モードになると、制御部１７は、メモリ１８から、照度設定テーブルに設定されている各ＬＥＤ１２毎の照度レベルを読み出し、その読み出した照度レベルに対応する調光率を照度レベルテーブルから読み出して、それぞれの調光率で各ＬＥＤ１２を点灯させる。
【００２６】
そして、自動販売機管理者が、照度を設定したい商品見本３に対応する商品選択ボタン５を押下すると、制御部１７は、押下された商品選択ボタン５に対応する商品見本４を照明するＬＥＤ１２について、メモリ１８から照度レベルテーブルに設定されている調光率の段階順に次の段階の照度レベルを読み出して、その新たに読み出した照度レベルを、対象となっているＬＥＤ１２の番号と選択ボタン５の番号に対応させるよう照度設定テーブルの設定を変更してメモリ１８に記憶する。そして、その変更した照度レベルに対応する調光率で、押下された商品選択ボタン５に対応するＬＥＤ１３を点灯させるとともに、その照度レベルを金額表示器１０に表示する。なお、金額表示器１０には、照度レベルに代えて、調光率を表示するようにしてもよい。
【００２７】
こうして商品選択ボタン５が押下される毎に、照度レベルが順次上がっていく。そして、照度レベルが最終段階（図４のテーブルで照度レベルが４）になったＬＥＤ１２に対応する選択ボタン５が押下されると、照度レベルは初期段階（図４のテーブルで照度レベルが０）に戻り、その後、商品選択ボタン５が押下されるたびに、また順次照度レベルが上がっていく。
【００２８】
実際の操作および照明設定制御の一例として、図１に示す自動販売機の陳列部４の上から２列目の左から３つ目の商品見本３を照らすＬＥＤ１２の設定照度を照度レベルの２から３に変更する場合について次に説明する。図５は、このように２列目の左から３つ目の商品見本３を照らすＬＥＤ１２の設定照度を照度レベルの２から３に変更する場合の変更前の照度設定テーブル（Ａ）と変更後の照度設定テーブル(Ｂ)を示している。
【００２９】
この場合、まず、商品選択ボタン５や返却ボタン９を予め設定された手順で操作したり、あるいは、自動販売機の管理者が所持する携帯端末を操作するなど、予め設定された自動販売機外部からの操作で照明設定モードに切り換える。すると、全ての商品見本３のＬＥＤ１２が、メモリ１８に記憶されている照度設定テーブル（Ａ）の照度レベルに対応した調光率でそれぞれ点灯する。
【００３０】
次に、自動販売機の上から２列目の左から３つめの商品選択ボタン５を押下すると、制御部１７は、押下された商品選択ボタン５に対応する商品見本３を照明するＬＥＤ１２について、図４に示す照度レベルテーブルから、既に設定されている照度レベル「２」の次の段階の照度レベル「３」を読み出して、照度レベルを繰り上げるよう、新たに読み出した照度レベル「３」を、そのＬＥＤ１２の番号「Ｃ２」と選択ボタン５の番号「ｃ２」に対応させるよう照度設定テーブルの設定を変更してメモリ１８に記憶する。そして、新しく記憶した照度設定テーブルの照度レベル（３）に対応する調光率７５％で、上から２列目の左から３つめのＬＥＤ１２（Ｃ２）を点灯させるとともに、繰り上げた照度レベルである照度レベル「３」を金額表示器１０に表示する。
【００３１】
そして、この場合に、続けて同じ上から２列目の左から３つめの商品選択ボタン５を押下すると、照度レベルは「４」となって、ＬＥＤ１２は１００％で点灯し、金額表示器１０には「４」が表示される。また、続けて別の商品選択ボタン５を押下すると、点灯していた上から２列目の左から３つめのＬＥＤ１２は消灯し、新たに押下された商品選択ボタン５に対応する商品見本３を照明するＬＥＤ１２の照度レベルが一つ繰り上がるとともに、そのＬＥＤ１２が、繰り上がった新たな照度レベルに対応した調光率で点灯し、その新たに押下された商品選択ボタン５に対応するＬＥＤ１２の新たな照度レベルが金額表示器１０に表示される。
【００３２】
なお、上記実施の形態では、照明設定モードに切り換えたときに、全てのＬＥＤ１２を点灯するようにしているが、押下された商品選択ボタン５に対応する商品見本３のＬＥＤ１２のみを点灯するようにしてもよい。
【００３３】
また、照明設定モード中で、商品選択ボタン５が押下されていないときには、各ＬＥＤ１２に設定されている照度レベルあるいは調光率を順次金額表示器１０に表示するようにしてもよい。
【００３４】
また、自動販売機内の計時手段であるタイマーを組み合わせて、それぞれのＬＥＤ１２に対し、時間ごとに照度レベルを設定するようにしてもよい。その場合、照度設定テーブルには、ＬＥＤ１２の番号と、照度レベルと、商品選択ボタン５の番号の他に、点灯時間帯を対応付けて設定しておくことで、対応する時間帯毎に、ＬＥＤ１２を調光し点灯させることが可能となる。
【００３５】
また、他の実施形態として、照明手段のＬＥＤ１２をＲＧＢ三原色内蔵型のフルカラーＬＥＤとし、ＬＥＤ１２全体の明るさ以外に、色合いあるいは色彩（ＲＧＢの各発光率）の設定も、商品選択ボタン５で行えるようにしてもよい。
【００３６】
この場合には、照明設定モード内に、照明の照度を調整する照度設定モードと、照明の色合いを調整する色合設定モードの２つを設け、例えば照明設定モード中に返却レバー９等の既存の操作手段を操作することで、照度設定モードと色合設定モードを切り換えるようにする。
【００３７】
例えば、照明設定モードに切り換えた直後は、照明設定モードとなって、商品選択ボタン５の操作で、操作した商品選択ボタン５に対応する商品見本３を照明するＬＥＤ１２の照度をメモリ１８内の照度レベルテーブルに従って切り換え設定可能とする。そして、返却レバー９を操作すると照度設定モードから色合設定モードへと切り替わり、商品選択ボタン５の操作で、操作した商品選択ボタン５に対応する商品見本３を照明するＬＥＤ１２の色合いをメモリ１８内の色合レベルテーブルに従って切り換え設定可能とする。つまり、照明設定モード中は、返却レバー９の操作ごとに、照度設定モードから色合設定モードへ、色合設定モードから照度設定モードへ、というように順次交互に切り換え可能とする。
【００３８】
この場合、メモリ１８には、照度レベルテーブルとともに、図８に示すように、複数の色合いレベルの形でＬＥＤ１２のＲＧＢの調光率の組み合わせを設定した色合いレベルテーブルを予め保存し、また、図９に示すように、照明設定テーブルに、各ＬＥＤ１２毎に設定された色合い（色合レベル）の項目も対応付けて保存する。
【００３９】
色合レベルテーブルは、図８に示すように、色合レベルを例えば０〜６の７段階として、各色合レベルにＬＥＤのＲ（赤色）、Ｂ（青色）、Ｇ（緑色）の３原色の調光率（１００％、５０％）の組み合わせを対応付けて設定するもので、ＲＧＢすべてを１００％で発光させてカラーＬＥＤを白色発光させる色合いをレベル０として、ＲＧＢの調光率組み合わせを変化させた各色合いにそれぞれレベルを割り振って予めメモリ１８に記憶させる。
【００４０】
この色合いレベルテーブルは、予め設定されているものを管理者が適宜変更できるようにすることもできる。また、この色合レベルテーブルは、色合いレベルを７段階に設定するものに限るものでなく、例えばさらに小刻みな設定にすることも可能である。
【００４１】
また、この場合、照明設定テーブルには、図９に示すように、各ＬＥＤ１２の番号と、選択した照度レベルと、選択した色合レベルと、各ＬＥＤ１２により照明される商品見本３に対応した商品選択ボタン５の番号が、対応付けて設定される。
【００４２】
この場合、色合レベルの設定変更は、照明設定モード内の色合設定モードで行い、照度レベルの変更方法と同様に、色合いを変更したいＬＥＤ１２に対応する商品選択ボタン５を操作することで、色合レベルテーブルを順次切り換えて設定変更し、金額表示器１０に、設定された色合いレベルが表示されるようにする。
【００４３】
また、照明設定モード中は、設定変更してメモリ１８に記憶された色合レベルと照度レベルとを読み出して、各ＬＥＤ１２を点灯させるようにする。
【００４４】
そして、照明設定モード、色合設定モードのどちらの照明設定モード中であっても、各ＬＥＤ１２は、メモリ１８に記憶されている照度レベルと色合いレベルで、ＬＥＤ１２を点灯させるようにする。
【００４５】
なお、ＲＧＢの調光率に関しては、ＲＧＢの調光率を組み合わせたテーブルではなく、ＲＧＢをそれぞれ個々に設定するようにする方法も考えられる。
【００４６】
この場合には、各ＲＧＢ毎に調光率を予め設定する色合いレベルテーブルを設けるとともに、照明設定テーブルの各ＬＥＤ１２に対してＲＧＢ毎にそれぞれ色合レベルを対応付けてメモリに記憶させる。
【００４７】
そして、設定変更時には、返却レバー９の操作によって、照度レベルの設定から赤色の調光率設定へ、赤色の調光率設定から緑色の調光率設定へ、緑色の調光率設定から青色の調光率設定へ、青色の調光率設定から照度の調光率設定へ、というように、設定の順番を順次切り換えることで対応できる。
【００４８】
また、各ＬＥＤ１２に色合いの設定を複数設けることで、時間単位毎にＬＥＤ１２のカラー点灯を変化させるイルミネーションの設定を行うことも可能である。
【図面の簡単な説明】
【００４９】
【図１】本発明の実施の形態の自動販売機の外観図である。
【図２】本発明の実施の形態の自動販売機の陳列部の部分断面図である。
【図３】本発明の実施の形態の自動販売機における照度設定制御システムのブロック図である。
【図４】本発明の実施の形態の自動販売機において予め記憶され照度設定制御に使用される照度レベルテーブルの説明図である。
【図５】本発明の実施の形態の自動販売機において照度設定制御により設定され記憶される照度設定テーブルの設定変更前（Ａ）および設定変更後(Ｂ)の説明図である。
【図６】本発明の実施の形態の自動販売機における陳列部の上から２列目のＬＥＤと商品選択ボタンとの対応関係を示す説明図である。
【図７】本発明の実施の形態の自動販売機の金額表示器の表示例を示す図である。
【図８】本発明の他の実施の形態における色合いレベルテーブルの説明図である。
【図９】本発明の他の実施の形態における照明設定テーブルの説明図である。
【符号の説明】
【００５０】
１  自動販売機本体
２  扉
３  商品見本
４  陳列部
５  商品選択ボタン
６  商品払出口
７  返却口
８  現金投入部
９  返却レバー
１０  金額表示器
１１  陳列台
１２  ＬＥＤ
１３  基板
１４  導光板
１５  反射板
１６  窓板
１７  制御部
１８  メモリ
【図１】
0005149561.tif 000002
【図２】
0005149561.tif 000003
【図３】
0005149561.tif 000004
【図４】
0005149561.tif 000005
【図５】
0005149561.tif 000006
【図６】
0005149561.tif 000007
【図７】
0005149561.tif 000008
【図８】
0005149561.tif 000009
【図９】
0005149561.tif 000010